(57)【要約】【課題】ＨＡ制御を行う外部制御機器を認識して、故意に運転制御されることを制限することにより、ＨＡによる運転制御の安全性、セキュリティ面を強化した空気調和機を提供する。【解決手段】ＨＡ端子３と、ＨＡ信号による運転制御を行う制御手段２と、ＨＡ端子からの制御を許可する判定を行う判定手段４を備え、判定手段４がＨＡ制御を許可する許可信号を検知した後に初めてＨＡ運転制御を可能にする。これによって、ＨＡ端子による制御機器の制限を行うようにするものである。【選択図】図１
2006084089.tif 000002
【特許請求の範囲】
【請求項１】
ＨＡコントロール信号（以後ＨＡ信号）を取り込むためのＨＡ端子と、前記ＨＡ端子からのＨＡ信号による運転制御をおこうなう制御手段と、前記ＨＡ端子からの制御を許可する判定を行う判定手段とを備え、前記判定手段が前記ＨＡ端子からＨＡ制御を許可するための信号を検知した後に、前記制御手段による前記ＨＡ端子からの運転制御を可能とすることを特徴とする空気調和機。
【請求項２】
ＨＡ信号の許可判定を行うか否かを選択する選択手段を設け、前記選択手段がＨＡ端子の許可判定を行わないように選択したときは、ＨＡ端子からの制御を許可信号が無くても可能とすることを特徴とする請求項１に記載の空気調和機。
【請求項３】
ＨＡ端子との外部接続を検知する接続検知手段を設け、判定手段によるＨＡ許可信号の検知を行った後、前記接続検知手段がＨＡ端子の外部接続を検知しなくなったとき、ＨＡ信号による運転制御を停止することを特徴とする請求項１ないし請求項２のいずれかに記載の空気調和機。
【請求項４】
ＨＡ端子からの制御許可判定を一定時間ごとに行うタイマー手段を設け、定期的に制御許可判定を行うことを特徴とする請求項１から請求項３のいずれかに記載の空気調和機。
【請求項５】
ＨＡ端子による運転制御許可判定を行う場合には、常時実施することを特徴とする請求項１から３のいずれかに記載の空気調和機。
【発明の詳細な説明】
【技術分野】
【０００１】
本発明は、ホームオートメーション端子いわゆるＨＡ端子を有する空気調和機に関する。
【背景技術】
【０００２】
従来、この種の空気調和機では、例えば図６に記載された空気調和機がある。
【０００３】
図６において、１００は従来の空気調和機、１０１は空気調和機１００の制御手段、１０２は制御手段１００に有るＨＡ端子であり、１０３はＨＡコントロールするか否かを選択する切換手段、１０４はＨＡ信号を送受信するインターフェースユニット、１０５は空気調和機の運転／停止を行うリモコンであり、インターフェースユニット１０４は、空気調和機１００のＨＡ端子１０２と接続されており、リモコン１０５からの運転または停止の信号を受けたインターフェースユニット１０４は、空気調和機１００に対してＨＡ規格による運転制御のパルス信号を送信し、これを受けた制御手段１０１は、空気調和機１００の運転制御を行うものである（例えば、特許文献１参照）。
【特許文献１】特開２００４−１６３０６４号公報
【発明の開示】
【発明が解決しようとする課題】
【０００４】
しかしながら、上記従来の構成では、外部制御機器がＨＡ信号のパルス信号を出すだけで容易に運転制御が可能になるため、例えば、コインタイマーのような機器と空気調和機を、ＨＡ端子を利用し料金を支払って空気調和機を運転する場合に、本来制御するべきコインタイマーとは異なる外部制御機器から偶然または故意に運転される恐れが有るという安全、セキュリティ面での課題を有していた。
【０００５】
本発明は、上記従来の課題を解決するものであり、従来からのＨＡ端子を利用して運転制御を行う場合に、簡易に運転制限が可能な空気調和機を提供するものである。
【課題を解決するための手段】
【０００６】
上記課題を解決するため、本発明の空気調和機は、ＨＡ端子と、ＨＡ端子からの信号により空気調和機の運転制御を行う制御手段と、ＨＡ端子からの制御を許可するか否かを判定する判定手段とを空気調和機に設けたものである。
【０００７】
これによって、外部制御機器がＨＡ端子からの運転制御を行う前に、事前に決められたＨＡ端子による使用許可信号を、ＨＡ端子を通じて送信することにより、判定手段はこの許可信号が正しい場合には、以後ＨＡ端子による制御が可能として判断し、ＨＡ制御を行うものである。
【発明の効果】
【０００８】
本発明の空気調和機は、外部制御機器からの制御においてＨＡ端子を利用する場合に、ＨＡ端子から制御する機器を制限することにより、許可なく偶然または故意に外部制御されることを禁止して、ＨＡ端子以外に特別は端子を設けることなく、ＨＡ規格のパルスに従った信号により、運転制御の安全性、セキュリティ面の確保を図ることができる。
【発明を実施するための最良の形態】
【０００９】
第１の発明は、ＨＡコントロール信号を取り込むためのＨＡ端子と、ＨＡ端子からのＨＡコントロール信号による運転制御をおこうなう制御手段と、ＨＡ端子からの制御を許可
する判定を行う判定手段とを備え、ＨＡ端子からのＨＡコントロール信号により前記制御手段が空気調和機の運転制御を開始する前に、判定手段がＨＡ端子からＨＡコントロールの制御を許可するための信号を検知して、外部制御機器の確認を行うことにより、他から無断でＨＡ制御を行われることを防止，制限することができる。
【００１０】
第２の発明は、特に、第１の発明の空調和機において、ＨＡ信号の許可判定を行うか否かを選択する選択手段を設け、前記選択手段がＨＡ端子の許可判定を行わないように選択されたときは、ＨＡ端子からの制御を許可信号が無い場合でも制御可能とし、外部制御機器が許可信号を送信出来ない機器にも対応することができる。
【００１１】
第３の発明は、特に、第１または第２の発明の空気調和機に、ＨＡ端子との外部接続を検知する接続検知手段を設けることにより、ＨＡの制御許可判定を行った後、接続検知手段がＨＡ端子の外部接続を検知しなくなったとき、ＨＡ信号による運転制御を停止することにより、許可判定後の外部機器機器の変更による誤操作を防止することができる。
【００１２】
第４の発明は、特に、第１から第３のいずれかの発明の空気調和機に、ＨＡ端子からの制御許可判定を一定時間ごとに行うタイマー手段を設け、定期的に制御許可判定を行い、定期的に外部制御機器を確認することにより、誤接続を常時監視することができる。
【００１３】
第５の発明は、特に、第１から第３のいずれかの発明の空気調和機に、ＨＡ端子による運転制御許可判定を行う場合には、常時実施することにより、外部制御機器の誤接続を常時監視する。
【００１４】
以下、本発明の実施の形態について図面を参照しながら説明する。なお、本実施の形態によって本発明が限定されるものではない。
【００１５】
（実施の形態１）
図１は、本発明の実施の形態１における空気調和機の構成ブロック図である。同図において、空気調和機１は、制御手段２、ＨＡ端子３、判定手段４から構成されている。また、図５はＨＡ端子の信号と制御手段、判定手段の状態を示す状態遷移図である。
【００１６】
通常ＨＡ制御を行う場合、インターフェースユニット５は、空気調和機１に対して、ＨＡ許可の為の信号としてあらかじめ決めてあるＨＡ信号規格に従ったパルス（図５のａ）を所定時間内に所定の数だけＨＡ端子３に送信する（図５のｂ）。これを受けた判定手段４は受信パルスがあらかじめ決められたＨＡ許可信号と合致した場合、以後のＨＡ端子からの制御を可能とする（図５のｄ、ｅ）。インターフェースユニット５を経由して運転または停止操作を行うリモコン６から運転操作された場合、インターフェースユニット５は空気調和機１に対して運転制御のためのＨＡ信号を送信し（図５のｃ）、これを受けた制御手段２は空気調和機１を運転させる（図５のｆ、ｇ）。
【００１７】
以上のように構成された空気調和機１は、ＨＡ端子によるＨＡ制御を行う前に、外部制御機器であるインターフェースユニット５との間で、ＨＡ制御の為の許可信号を交換することにより、外部制御機器があらかじめ決められた正しい制御機器かを認識した後、ＨＡ制御をすることができる。
【００１８】
（実施の形態２）
図２は、本発明の実施の形態２における空気調和機の構成ブロック図である。同図において、図１と同じ構成要素については同じ符号を用い説明を省略する。
【００１９】
判定手段４によるＨＡ信号の許可判定を行うか否かを選択する選択手段７を設け、前記
選択手段７がＨＡ制御の許可判定を行わないように選択されたときは、ＨＡ端子からの制御を許可信号を送信しなくても可能とし、許可判定を行なうように選択されたときは、判定手段４による運転制御をするものである。
【００２０】
以上のように構成された空気調和機１は、ＨＡ端子によるＨＡ制御を行う外部制御機器がＨＡ制御許可信号を送信できない機器であることをあらかじめ確認できている場合には、選択手段７により認識せずにＨＡ制御することができるものである。
【００２１】
（実施の形態３）
図３は、本発明の実施の形態３における空気調和機の構成ブロック図である。同図において、図１と同じ構成要素については同じ符号を用い説明を省略する。
【００２２】
ＨＡ端子３とインターフェースユニット５との接続を検知する接続検知手段８を設け、実施の形態１記載のＨＡ制御許可判定を行った後、接続検知手段８がＨＡ端子３とインターフェースユニット５との接続が検知できないこと判定したとき、制御手段２はＨＡ信号による運転制御を停止し、再び検知した場合にはＨＡ制御を行う。
【００２３】
以上のように構成された空気調和機は、接続検知手段８によりインターフェースユニット５との接続が確認された後、判定手段４によるＨＡ信号の許可判定後、ＨＡ制御を行うが、その後、接続検知手段８によるインターフェースユニット５との接続が確認できなくなった場合は、制御手段２はＨＡ制御を中止するものである。したがって、ＨＡ制御時に故意に外部接続機器が別の機器に交換された場合、接続検知手段により接続が外されたことを検知してＨＡ制御を停止し、再度ＨＡ信号の接続許可の判定をするまでＨＡ制御を停止するものである。
【００２４】
（実施の形態４）
図４は、本発明の実施の形態４における空気調和機の構成ブロック図である。同図において、実施の形態３で説明した部分については同じ符号を用い説明を省略する。
【００２５】
ＨＡ端子からの制御許可判定を一定時間ごとに行うタイマー手段９を設け、定期的に制御許可判定を行う。制御手段２は、判定手段４からのＨＡ許可後、タイマー手段９からの定期的な時間信号によりＨＡの許可を解除する。これにより、判定手段４はインターフェースユニット５からのＨＡ許可信号の受信待ち状態にする。一方、インターフェースユニット５はＨＡの制御信号を送信時に、ＨＡ端子からの空気調和機１からの運転モニター信号より運転制御ができないことを検知すると、再度ＨＡ許可信号を送信する。再度、許可信号が送られことを判定手段４にて検知したとき、制御手段２はＨＡ制御を可能とし、次のタイマー信号までＨＡ端子による制御を継続する。
【００２６】
以上のように構成された空気調和機は、タイマー手段９によりＨＡ制御を一時中断し、ＨＡ許可信号を受信した場合には、再度、ＨＡ制御を再開させる。したがって、外部制御機器との確認を定期的に実施することにより、外部制御機器が故意に変更された場合でも必ず許可確認を実施させるものである。
【００２７】
（実施の形態５）
図１を用いて、本発明の実施の形態５における空気調和機を説明する。通常ＨＡ制御を行う場合、インターフェースユニット５は、空気調和機１に対して、ＨＡ許可の為の信号としてあらかじめ決めてあるＨＡ信号規格に従ったパルスを所定時間内に所定の数だけＨＡ端子３に送信し、これを受けた判定手段４は受信パルスがあらかじめ決められたＨＡ許可信号と合致した場合に、以後のＨＡ端子からの制御を可能とする。
【００２８】
次に、インターフェースユニット５に接続して運転または停止操作を行うリモコン６から停止操作された場合は、インターフェースユニット５は空気調和機１に対して、ＨＡ許可の為の信号としてあらかじめ決めてあるＨＡ信号規格に従ったパルスを所定時間内に所定の数だけＨＡ端子３に送信し、判定手段４が受信パルスを許可信号と検知した場合に、制御手段２はＨＡ制御信号が入力されたと判断し、空気調和機１を停止させる。
【００２９】
以上のように構成された空気調和機は、常時ＨＡ接続機器の確認を行うので、ＨＡ制御途中にて外部制御機器が故意に変えられても検知することが可能である。
【産業上の利用可能性】
【００３０】
以上のように、本発明にかかる空気調和機は、外部制御機器からの運転制御を制限することにより、悪意をもった運転制御を防止し、外部制御機器との安全、セキュリティ面での信頼性を確保するものであり、外部制御機器との通信により制御を行う空気調和機での接続機器との信頼性確保の手段として利用可能である。
【図面の簡単な説明】
【００３１】
【図１】本発明の実施の形態１及び５における空気調和機の構成ブロック図
【図２】本発明の実施の形態２における空気調和機の構成ブロック図
【図３】本発明の実施の形態３及び４における空気調和機の構成ブロック図
【図４】本発明の実施の形態５における空気調和機の構成ブロック図
【図５】本発明の実施の形態１から５における状態遷移を表わす図
【図６】従来の空気調和機における構成ブロック図
【符号の説明】
【００３２】
１  空気調和機
２  制御手段
３  ＨＡ端子
４  判定手段
５  インターフェースユニット
６  リモコン
７  選択手段
８  接続検知手段
９  タイマー手段
【図１】
2006084089.tif 000003
【図２】
2006084089.tif 000004
【図３】
2006084089.tif 000005
【図４】
2006084089.tif 000006
【図５】
2006084089.tif 000007
【図６】
2006084089.tif 000008